(57)【特許請求の範囲】
【請求項１】
上端部の外径が下端部の外径より小さい有底円筒状に形成されるとともに、底部の下面にドライブ装置の駆動ギアと噛み合う環状のリールギアが形成され、外周面に記録テープが巻回されるリールハブと、
前記底部の径方向外側に一体に形成されるとともに、複数の貫通孔が放射状に形成され、該貫通孔の周方向を向く一方の縁部及び他方の縁部にそれぞれ該縁部同士の周方向における距離を上面側よりも下面側で小さくする傾斜面が形成された下フランジと、
前記リールハブの上端部に取り付けられた環状の上フランジと、
を有するリールと、
前記リールを単一で収容するとともに、前記記録テープを前記リールから引き出すための開口が形成されたケースと、
を備え、
前記記録テープが前記リールに巻き戻されるときに該リールの回転方向を向く前記一方の縁部における傾斜面の該リールの回転軸方向に対する傾斜角度が、前記記録テープが前記リールから引き出されるときに該リールの回転方向を向く前記他方の縁部における傾斜面の該リールの回転軸方向に対する傾斜角度よりも大きい記録テープカートリッジ。
【請求項２】
上端部の外径が下端部の外径より小さい有底円筒状に形成されるとともに、底部の下面にドライブ装置の駆動ギアと噛み合う環状のリールギアが形成され、外周面に記録テープが巻回されるリールハブと、
前記底部の径方向外側に一体に形成されるとともに、複数の貫通孔が放射状に形成され、該貫通孔の周方向を向く一方の縁部及び他方の縁部にそれぞれ該縁部同士の周方向における距離を上面側よりも下面側で小さくする傾斜面が形成された下フランジと、
前記リールハブの上端部に取り付けられた環状の上フランジと、
を有するリールと、
前記リールを単一で収容するとともに、前記記録テープを前記リールから引き出すための開口が形成されたケースと、
を備え、
前記記録テープが前記リールに巻き戻されるときに該リールの回転方向を向く前記一方の縁部における傾斜面の面積が、前記記録テープが前記リールから引き出されるときに該リールの回転方向を向く前記他方の縁部における傾斜面の面積よりも大きい記録テープカートリッジ。
【請求項３】
前記上フランジは、繊維強化樹脂材で形成されている請求項１又は請求項２に記載の記録テープカートリッジ。
【発明の詳細な説明】
【技術分野】
【０００１】
本発明は、記録テープが巻装された単一のリールをケース内に収容してなる記録テープカートリッジに関する。
【背景技術】
【０００２】
記録テープカートリッジのケース内に単一で収容されているリールにおいて、フランジに複数の貫通孔が形成されたリールは、フランジに複数の貫通孔が形成されていないリールと比較して、使用材料の削減による材料費の低減や環境負荷の軽減及び軽量化によるドライブ装置での駆動トルクの低減や輸送費の削減に有利である。
【０００３】
しかしながら、フランジに複数の貫通孔が形成されたリールでは、フランジの肉厚が不均一になるため、フランジにおける高さ方向のばらつき、即ち面振れが大きくなり、リールが回転する記録テープの走行時において、その記録テープの挙動が不安定となる（うねりが発生する）懸念がある。
【０００４】
そのため、リールを成形する金型において、フランジに形成する各貫通孔間のスポーク部におけるテーパー面の傾斜角度を、フランジの外環領域におけるテーパー面の傾斜角度よりも大きくし、記録テープの走行安定性を向上させるようにしたものが、従来から知られている（例えば、特許文献１参照）。
【先行技術文献】
【特許文献】
【０００５】
【特許文献１】特開２０１４−１８６７７１号公報
【発明の概要】
【発明が解決しようとする課題】
【０００６】
しかしながら、各貫通孔間のスポーク部におけるテーパー面の傾斜角度が、外環領域におけるテーパー面の傾斜角度よりも大きくされていると、記録テープの走行時において、フランジの径方向のうねりを低減させる効果は期待できるが、フランジの周方向のうねりを低減させる効果を期待することは難しい。そのため、リールに記録テープを巻き戻すときに、走行する記録テープの挙動が不安定になるおそれがある。
【０００７】
そこで、本発明は、フランジに複数の貫通孔が形成されたリールに記録テープを巻き戻すときに、走行する記録テープの挙動を安定化できる記録テープカートリッジを得ることを目的とする。
【課題を解決するための手段】
【０００８】
上記の目的を達成するために、本発明に係る第１の態様の記録テープカートリッジは、上端部の外径が下端部の外径より小さい有底円筒状に形成されるとともに、底部の下面にドライブ装置の駆動ギアと噛み合う環状のリールギアが形成され、外周面に記録テープが巻回されるリールハブと、底部の径方向外側に一体に形成されるとともに、複数の貫通孔が放射状に形成され、貫通孔の周方向を向く一方の縁部及び他方の縁部にそれぞれ縁部同士の周方向における距離を上面側よりも下面側で小さくする傾斜面が形成された下フランジと、リールハブの上端部に取り付けられた環状の上フランジと、を有するリールと、リールを単一で収容するとともに、記録テープをリールから引き出すための開口が形成されたケースと、を備え、記録テープがリールに巻き戻されるときにリールの回転方向を向く一方の縁部における傾斜面のリールの回転軸方向に対する傾斜角度が、記録テープがリールから引き出されるときにリールの回転方向を向く他方の縁部における傾斜面のリールの回転軸方向に対する傾斜角度よりも大きい。
【０００９】
また、本発明に係る第２の態様の記録テープカートリッジは、上端部の外径が下端部の外径より小さい有底円筒状に形成されるとともに、底部の下面にドライブ装置の駆動ギアと噛み合う環状のリールギアが形成され、外周面に記録テープが巻回されるリールハブと、底部の径方向外側に一体に形成されるとともに、複数の貫通孔が放射状に形成され、貫通孔の周方向を向く一方の縁部及び他方の縁部にそれぞれ縁部同士の周方向における距離を上面側よりも下面側で小さくする傾斜面が形成された下フランジと、リールハブの上端部に取り付けられた環状の上フランジと、を有するリールと、リールを単一で収容するとともに、記録テープをリールから引き出すための開口が形成されたケースと、を備え、記録テープがリールに巻き戻されるときにリールの回転方向を向く一方の縁部における傾斜面の面積が、記録テープがリールから引き出されるときにリールの回転方向を向く他方の縁部における傾斜面の面積よりも大きい。
【発明の効果】
【００１０】
本発明によれば、フランジに複数の貫通孔が形成されたリールに記録テープを巻き戻すときに、走行する記録テープの挙動を安定化することができる。
【図面の簡単な説明】
【００１１】
【図１】本実施形態に係る記録テープカートリッジを示す斜視図である。
【図２】本実施形態に係る記録テープカートリッジを斜め上方から見て示す分解斜視図である。
【図３】本実施形態に係る記録テープカートリッジを斜め下方から見て示す分解斜視図である。
【図４】ドライブ装置の駆動ギアが噛合される前の本実施形態に係る記録テープカートリッジを示す断面図である。
【図５】ドライブ装置の駆動ギアが噛合された後の本実施形態に係る記録テープカートリッジを示す断面図である。
【図６】リールの下フランジを示す一部拡大平面図である。
【図７】（Ａ）リールの下フランジを示す一部拡大斜視図である。（Ｂ）リールの下フランジを周方向に沿って切断したときの一部を示す断面図である。
【発明を実施するための形態】
【００１２】
以下、本発明に係る実施の形態について、図面を基に詳細に説明する。なお、説明の便宜上、図１において、記録テープカートリッジ１０のドライブ装置への装填方向を矢印Ａで示し、それを記録テープカートリッジ１０の前方向（前側）とする。そして、矢印Ａと直交する矢印Ｂ方向を記録テープカートリッジ１０の右方向（右側）とする。また、矢印Ａ方向及び矢印Ｂ方向と直交する方向を矢印Ｃで示し、それを記録テープカートリッジ１０の上方向（上側）とする。
【００１３】
図１〜図５に示されるように、記録テープカートリッジ１０は、略矩形箱状のケース１２を有している。このケース１２は、ポリカーボネート（ＰＣ）などの樹脂製の上ケース１４と下ケース１６とが、それぞれ天板１４Ａの周縁に立設された周壁１４Ｂと、底板１６Ａの周縁に立設された周壁１６Ｂと、を互いに当接させた状態で、超音波溶着やビス止め等によって接合されて構成されている。
【００１４】
ケース１２の内部には、リール２０が１つだけ回転可能に収容されている。リール２０は、軸心部を構成する有底円筒状のリールハブ２２と、その下端部に設けられる下フランジ２６と、が一体に成形され、上フランジ２４がリールハブ２２の上端部に超音波溶着されて構成されている。そして、リールハブ２２の外周面に、データ記録再生媒体としての磁気テープ等の記録テープＴが巻回され、その巻回された記録テープＴの幅方向上端部及び下端部が、それぞれ上フランジ２４及び下フランジ２６によって保護されている。
【００１５】
また、リールハブ２２の底壁（底部）２８の下面には、リールギア４４が環状に形成されており（図３参照）、下ケース１６の中央部には、そのリールギア４４を外部に露出するためのギア開口４０が形成されている。ギア開口４０から露出されるリールギア４４が、ドライブ装置の回転シャフト１００に形成された駆動ギア１０２（図４、図５参照）に噛合されて回転駆動されることにより、ケース１２内において、リール２０がケース１２に対して相対回転可能とされている。
【００１６】
また、底壁２８の下面におけるリールギア４４の径方向内側には、磁性材料でできた環状の金属板であるリールプレート４６が、インサート成形によって一体的に固着されている（図３参照）。このリールプレート４６が、ドライブ装置の回転シャフト１００における駆動ギア１０２の径方向内側に設けられた環状のマグネット（図示省略）の磁力によって吸着保持されるようになっている。
【００１７】
更に、上ケース１４及び下ケース１６の内面で、かつギア開口４０と同軸となる円形の軌跡上には、内壁としての遊動規制壁４２が、それぞれ部分的に突設されている（図２、図３参照）。この遊動規制壁４２により、不使用時（ドライブ装置に装填されないときであり、例えば保管時や運搬時等）において、リール２０が、がたつかないように保持されるようになっている。
【００１８】
また、ケース１２の右壁１２Ｂには、リール２０に巻回された記録テープＴを引き出すための開口１８が形成されている（図１参照）。そして、開口１８から引き出される記録テープＴの自由端部には、ドライブ装置の引出部材（図示省略）によって係止されつつ引き出し操作されるリーダー部材としてのリーダーピン３０が固着されている。リーダーピン３０の両端部３４と、リーダーピン３０に固着された記録テープＴの幅方向両端部との間には、それぞれ環状溝３２が形成されており、この環状溝３２が引出部材のフック等に係止されるようになっている。
【００１９】
また、ケース１２の開口１８の内側、即ち上ケース１４の天板１４Ａの内面及び下ケース１６の底板１６Ａの内面には、ケース１２内においてリーダーピン３０を位置決めして保持する上下一対のピン保持部３６が形成されている。ピン保持部３６は、記録テープＴの引き出し側が開放された平面視略半円形状とされており、直立状態のリーダーピン３０の両端部３４は、その開放側からピン保持部３６内に出入可能とされている。
【００２０】
また、ピン保持部３６の近傍には、板バネ３８が固定配置されるようになっており、板バネ３８の二股状の先端部が、直立状態のリーダーピン３０の両端部３４にそれぞれ係合して、そのリーダーピン３０をピン保持部３６に保持するようになっている。なお、リーダーピン３０がピン保持部３６に出入する際には、板バネ３８の先端部が適宜弾性変形してリーダーピン３０の移動を許容するようになっている。
【００２１】
また、図１〜図３に示されるように、ケース１２の開口１８は、ドア５０によって開閉されるようになっている。ドア５０は、開口１８を閉塞可能な大きさの略矩形板状に形成されており、ケース１２の右壁１２Ｂに沿って移動できるように、開口１８の内側の天板１４Ａ及び底板１６Ａには、それぞれドア５０の上下端部を摺動可能に嵌入させる溝部６４が形成されている。
【００２２】
また、ドア５０の後端部中央には、シャフト５２が突設されており、そのシャフト５２には、コイルバネ５８が挿嵌されている。そして、シャフト５２の後端には、そのコイルバネ５８を脱落防止とする拡開部５４が形成されている。また、下ケース１６には、シャフト５２に挿嵌されたコイルバネ５８の後端を係止する係止部６２を有する支持台６０が突設されている（図２参照）。
【００２３】
したがって、ドア５０は、シャフト５２が支持台６０上に摺動自在に支持されるとともに、コイルバネ５８の後端が係止部６２に係止されることにより、そのコイルバネ５８の付勢力によって、常に開口１８の閉塞方向へ付勢される構成になっている。なお、開口１８の開放時、シャフト５２を支持する支持台６６を支持台６０の後方側に更に突設しておくことが望ましい。
【００２４】
また、ドア５０の前端部には、開閉操作用の凸部５６が外方（右方）に向かって突設されている。この凸部５６が、記録テープカートリッジ１０のドライブ装置への装填に伴い、そのドライブ装置側の係合部材（図示省略）と係合するようになっている。これにより、ドア５０がコイルバネ５８の付勢力に抗して開放される構成になっている。
【００２５】
また、図２、図３に示されるように、ケース１２の左後部には、記録テープＴへの記録可・不可が設定されるライトプロテクト７０が左右方向にスライド可能に設けられている。そして、ケース１２の後壁には、ライトプロテクト７０を人手で操作するための操作突起７２を突出させる開孔６８が形成されている。この開孔６８は、上ケース１４と下ケース１６とを接合したときに、上ケース１４の周壁１４Ｂに形成された切欠部６８Ａと、下ケース１６の周壁１６Ｂに形成された切欠部６８Ｂと、によって構成されるようになっている。
【００２６】
更に、下ケース１６の底板１６Ａには、ライトプロテクト７０の突部７４が露出される長孔６９が左右方向に長く形成されている。したがって、記録テープカートリッジ１０がドライブ装置に装填されたときには、そのドライブ装置側でライトプロテクト７０の突部７４の位置を検知して、記録テープＴへの記録可・不可が自動的に判断されるようになっている。なお、この突部７４は下ケース１６の底板１６Ａの下面から突出することはない。
【００２７】
また、リールハブ２２の底壁２８の上面周縁には、係合ギア４８が所定の間隙を隔てて（例えば等間隔に）複数（例えば１２０°間隔で３個）立設されており、その係合ギア４８の間で、リールギア４４上となる所定位置には、貫通孔２８Ａが複数（この場合は１２０°間隔で３個）形成されている。そして、リールハブ２２の径方向内側には、樹脂材で成形された円板状の制動部材８０が設けられている。
【００２８】
制動部材８０の下面８０Ａの周縁には、係合ギア４８と噛合可能な制動ギア８４が環状に形成されており、制動部材８０の上面には、上ケース１４の天板１４Ａの内面から下方へ向かって突設された平面視略十字状の回転規制リブ７６が内部に挿入される平面視略十字状の係合突起８６が、その回転規制リブ７６の高さよりも若干高くなる高さで立設されている。これにより、制動部材８０は、ケース１２（上ケース１４）に対して回転不能とされるとともに、リールハブ２２の径方向内側で上下方向に移動可能とされている。
【００２９】
また、上ケース１４と制動部材８０との間には、圧縮コイルバネ９８が設けられている。すなわち、圧縮コイルバネ９８は、一端が上ケース１４の回転規制リブ７６の外側に突設された環状突起７８の内側（回転規制リブ７６と環状突起７８の間）に当接し、他端が制動部材８０の上面に設けられた環状溝８８の径方向内側に当接した状態に設けられている。この圧縮コイルバネ９８の付勢力により、制動部材８０は、常に下方に向かって付勢されている。
【００３０】
したがって、記録テープカートリッジ１０は、ドライブ装置に装填されない不使用時には、制動ギア８４が係合ギア４８と常に噛合する状態とされており、リール２０のケース１２に対する相対回転が阻止された回転ロック状態となる構成になっている。なお、この回転ロック状態のとき、リール２０は、圧縮コイルバネ９８の付勢力によって下ケース１６側に押し付けられ、リールギア４４をギア開口４０から露出させるようになっている。
【００３１】
また、リールハブ２２の径方向内側で、かつ制動部材８０の下側（底壁２８と制動部材８０との間）には、樹脂材で成形された平面視略正三角形状の解除部材９０が設けられている。解除部材９０には、所定の形状とされた貫通孔９２が適宜位置に複数形成されており、解除部材９０の軽量化が図られている。そして、解除部材９０の下面で、かつ各頂点部分には、各貫通孔２８Ａに挿通されて底壁２８の下面からリールギア４４上に所定高さ突出する脚部９４が突設されている。
【００３２】
また、解除部材９０の上面９０Ａの中央には、制動部材８０の下面８０Ａの中央に突設された略半球状の解除突起８２が当接するようになっている。これにより、制動部材８０と解除部材９０との接触面積が低減され、ドライブ装置に装填された使用時（リール２０の回転時）における摺動抵抗が軽減されるようになっている。
【００３３】
ここで、リール２０のリールハブ２２及び下フランジ２６の構成について、更に詳細に説明する。
【００３４】
図４、図５に示されるように、リールハブ２２は、上フランジ２４が溶着される上端部の外径が、下フランジ２６が一体に形成されている下端部の外径よりも小さくなるように形成されている。より具体的に説明すると、リールハブ２２は、側断面視で、下端部から上端部に行くに従って、その外径が略直線状に徐々に小さくなる略等脚台形状に形成されている。
【００３５】
これにより、記録テープＴは、リールハブ２２に巻回されたときに、その幅方向上端部が上フランジ２４の下面（内面）に沿って（接して）巻回されるようになっている。つまり、リールハブ２２に巻回された記録テープＴの幅方向下端部と、下フランジ２６の上面（内面）との間に隙間Ｇが形成されるようになっており、その幅方向下端部が下フランジ２６の上面（内面）に対して非接触となるようになっている。
【００３６】
上フランジ２４は、例えばリールハブ２２と同じ樹脂材に炭素繊維又はガラス繊維等が混入された繊維強化樹脂材で形成されている。そして、環状とされている上フランジ２４には、複数の貫通孔が形成されていないが、図３に示されるように、下フランジ２６には、複数（例えば１２個）の貫通孔２７が放射状に形成されている。
【００３７】
図６に示されるように、各貫通孔２７は、平面視で、径方向内側縁部２７Ｃが頂点となる略二等辺三角形状に形成されており、その径方向内側縁部２７Ｃ及び径方向外側縁部２７Ｄには、それぞれ斜め上方を向く傾斜面２６Ｃ及び傾斜面２６Ｄが形成されている（図７（Ａ）も参照）。なお、貫通孔２７間に形成される複数のスポーク部２６Ｅの形状は、それぞれ同一となっている。
【００３８】
また、図６、図７（Ａ）、図７（Ｂ）に示されるように、各貫通孔２７を構成する周方向を向く（径方向に延在する）一方の縁部２７Ａ及び他方の縁部２７Ｂには、それぞれ斜め上方を向く（縁部２７Ａ、２７Ｂ同士の周方向における距離を上面側よりも下面側で小さくする）傾斜面２６Ａ及び傾斜面２６Ｂが形成されている。
【００３９】
一方の縁部２７Ａに形成される傾斜面２６Ａは、記録テープＴがリール２０に巻き戻されるときに、そのリール２０の回転方向（図６、図７（Ｂ）において矢印Ｋで示す方向）を向く面とされ、他方の縁部２７Ｂに形成される傾斜面２６Ｂは、記録テープＴがリール２０から引き出されるときに、そのリール２０の回転方向（矢印Ｋとは反対方向）を向く面とされている。
【００４０】
また、図７（Ｂ）に示されるように、リール２０の回転軸方向に垂直な面に対する傾斜面２６Ａの傾斜角度αは、傾斜面２６Ｂの傾斜角度βよりも小さくされている。換言すれば、リール２０の回転軸方向に対する傾斜面２６Ａの傾斜角度θ１（＝９０°−α）は、傾斜面２６Ｂの傾斜角度θ２（＝９０°−β）よりも大きくなっている。
【００４１】
そして、図６、図７（Ｂ）に示されるように、傾斜面２６Ａの面積Ｓ１（図６において仮想斜線で示す領域の面積）が、傾斜面２６Ｂの面積Ｓ２（図６において仮想斜線で示す領域の面積）よりも大きくなっている。なお、本実施形態に係る下フランジ２６では、傾斜面２６Ａの径方向に沿った長さＬ１と、傾斜面２６Ｂの径方向に沿った長さＬ２と、がほぼ同一とされている。
【００４２】
以上のような構成とされたリールハブ２２及び下フランジ２６を有するリール２０が単一で収容された本実施形態に係る記録テープカートリッジ１０において、次にその作用について説明する。
【００４３】
記録テープＴにデータを記録又は記録テープＴに記録されているデータを再生する際には、記録テープカートリッジ１０を矢印Ａ方向に沿ってドライブ装置へ装填する。すると、ドライブ装置に設けられた係合部材がドア５０の凸部５６をコイルバネ５８の付勢力に抗して相対的に後方へ移動させる。これにより、開口１８が開放される。
【００４４】
また、記録テープカートリッジ１０がドライブ装置へ装填されると、回転シャフト１００が相対的にギア開口４０から進入し、駆動ギア１０２をリールギア４４に噛合させる。すると、リールギア４４上に突出している脚部９４が、圧縮コイルバネ９８の付勢力に抗して押し上げられ、解除部材９０を介して制動部材８０が上方へ押し上げられる。これにより、制動ギア８４と係合ギア４８との噛合、即ち回転ロック状態が解除される。
【００４５】
そして、駆動ギア１０２とリールギア４４とが噛合した状態で、リールプレート４６が、駆動ギア１０２の径方向内側に設けられた環状のマグネットの磁力によって吸着保持される。これにより、リール２０は、駆動ギア１０２に対するリールギア４４の噛合が維持されつつ、ケース１２内で、そのケース１２に対して相対回転可能とされる。
【００４６】
一方、ドライブ装置に設けられた引出部材が、開放された開口１８からケース１２内に進入し、ピン保持部３６に位置決め保持されたリーダーピン３０を把持してケース１２から引き出す。なお、このとき、リール２０は、その回転ロック状態が解除されているので、リーダーピン３０の引出動作に伴って回転する。
【００４７】
こうして、ケース１２から引き出されたリーダーピン３０は、図示しない巻取リールに収容される。そして、その巻取リールが回転駆動することにより、巻取リールとリール２０とが同期して回転し、記録テープＴが、巻取リールにテンションを掛けられながら巻き取られつつリール２０から引き出され、所定のテープ経路に沿って配置された記録再生ヘッド（図示省略）に摺接される。これにより、記録テープＴに対するデータの記録又は記録テープＴに記録されたデータの再生が行われる。
【００４８】
記録テープＴに対するデータの記録又は記録テープＴに記録されたデータの再生が終了した記録テープカートリッジ１０をドライブ装置から排出する際には、まず回転シャフト１００を記録テープＴの引き出し方向とは逆方向に回転駆動させる。これにより、リール２０と巻取リールとが同期して回転し、記録テープＴが、リール２０にテンションを掛けられながら巻き戻される。
【００４９】
ところで、リール２０の下フランジ２６に形成された貫通孔２７を構成する一方の縁部２７Ａ及び他方の縁部２７Ｂには、それぞれ傾斜面２６Ａ及び傾斜面２６Ｂが形成されている。そのため、リール２０の回転時には、傾斜面２６Ａ又は傾斜面２６Ｂが受ける風により、下フランジ２６の上面（内面）側に上昇気流が発生する。
【００５０】
より具体的に説明すると、リール２０に記録テープＴを巻き戻すときには、傾斜面２６Ａが受ける風によって上昇気流が発生し、リール２０から記録テープＴを引き出すときには、傾斜面２６Ｂが受ける風によって上昇気流が発生する。したがって、リール２０の回転時には、傾斜面２６Ａ又は傾斜面２６Ｂに対して下方へ向かう付勢力が作用する（図７（Ｂ）では傾斜面２６Ａに作用する付勢力のみを矢印Ｆで示している）。
【００５１】
ここで、リール２０の回転軸方向に対する傾斜面２６Ａの傾斜角度θ１（＝９０°−α）は、リール２０の回転軸方向に対する傾斜面２６Ｂの傾斜角度θ２（＝９０°−β）よりも大きくなっており、傾斜面２６Ａの面積Ｓ１が、傾斜面２６Ｂの面積Ｓ２よりも大きくなっている。
【００５２】
そのため、リール２０に記録テープＴを巻き戻すときに傾斜面２６Ａが受ける風によって発生する上昇気流の方が、リール２０から記録テープＴを引き出すときに傾斜面２６Ｂが受ける風によって発生する上昇気流よりも、その量が多い。つまり、リール２０に記録テープＴを巻き戻すときの方が、リール２０から記録テープＴを引き出すときよりも、リール２０に対して作用する下方へ向かう付勢力が大きい。
【００５３】
したがって、リール２０に記録テープＴを巻き戻すときの方が、リール２０から記録テープＴを引き出すときよりも、リールギア４４と駆動ギア１０２との噛合が強くなり、駆動ギア１０２の回転駆動力がリールギア４４に効率よく伝達される。よって、記録テープＴは、リール２０にテンションを掛けられながら効率よく巻き戻される。
【００５４】
また、リールギア４４と駆動ギア１０２との噛合が強くなると、複数の貫通孔２７が形成されることで下フランジ２６の面振れが大きくなっても、リール２０に記録テープＴを巻き戻すときに、回転シャフト１００とリール２０との相対位置を安定化することができるため、走行する記録テープＴの挙動を安定化することができる（径方向及び周方向のうねりを低減させることができる）。
【００５５】
なお、リール２０から記録テープＴを引き出すときには、リール２０に対して作用させる下方へ向かう付勢力をなるべく小さくする方が望ましい。つまり、リール２０の回転軸方向に対する傾斜面２６Ｂの傾斜角度θ２をなるべく小さくし、リールギア４４と駆動ギア１０２との噛合を弱くする方が望ましい。これによれば、リール２０から記録テープＴを引き出すときに、そのリール２０が、巻取リールの回転駆動に追従して回転し易くなる。
【００５６】
また、リールハブ２２は、側断面視で、上端部の外径が下端部の外径よりも略直線状に徐々に小さくなる略等脚台形状に形成されている。したがって、記録テープＴは、リールハブ２２に巻回されたときに、その幅方向上端部が上フランジ２４の下面（内面）に沿って（接して）巻回される。
【００５７】
つまり、リールハブ２２に巻回された記録テープＴの幅方向下端部と、下フランジ２６の上面（内面）との間には隙間Ｇが形成され、その幅方向下端部が下フランジ２６の上面（内面）と非接触となる（図４、図５参照）。よって、下フランジ２６に複数の貫通孔２７が形成されていても、記録テープＴの幅方向下端部が、貫通孔２７を構成する一方の縁部２７Ａ又は他方の縁部２７Ｂ、或いは径方向内側縁部２７Ｃ又は径方向外側縁部２７Ｄに接触して損傷するのが抑制される。
【００５８】
また、下フランジ２６は、リールハブ２２と一体成形されているため、その強度及び剛性が上フランジ２４よりも確保され易いが、本実施形態に係る上フランジ２４は、繊維強化樹脂材で形成され、かつ下フランジ２６に形成されているような複数の貫通孔を有していないため、その強度及び剛性が充分に確保されている。したがって、記録テープＴがリールハブ２２に巻回されたときに、その幅方向上端部が上フランジ２４の下面（内面）に沿って（接して）巻回されても、その上フランジ２４の変形（面振れ）が抑制される。
【００５９】
なお、記録テープＴを上フランジ２４の下面（内面）に沿って（接して）巻回することにより、その上フランジ２４の変形（面振れ）が記録テープＴによって抑制される効果もある。また、上フランジ２４は、繊維を含んで形成されていることにより、適度な表面粗さ（例えばＲａ≒０．８μｍ）を有しているため、記録テープＴの幅方向上端部との摺動抵抗（摩擦）を低減させることができる。したがって、走行する記録テープＴの挙動を更に安定化することができる。
【００６０】
さて、記録テープＴがリール２０に最後まで巻き戻されると、リーダーピン３０がピン保持部３６に保持される。そして、回転シャフト１００がギア開口４０から相対的に抜き出されて、リールギア４４に対する駆動ギア１０２の噛合が解除される。すると、圧縮コイルバネ９８の付勢力により、制動部材８０及び解除部材９０が下方に向かって押圧され、解除部材９０の脚部９４が、底壁２８の貫通孔２８Ａに挿通されて、底壁２８の下面からリールギア４４上に所定高さ突出するとともに、制動ギア８４が係合ギア４８に噛合する。
【００６１】
これにより、リール２０は、ケース１２内での相対回転が阻止された回転ロック状態となり、その後、記録テープカートリッジ１０は、図示しないイジェクト機構によって矢印Ａ方向とは反対方向に移動される。すると、この移動に伴って、ドア５０が、コイルバネ５８の付勢力によって開口１８の閉塞方向へ摺動し、開口１８を閉塞する。そして、開口１８が閉塞された記録テープカートリッジ１０が、ドライブ装置から排出される。
【００６２】
以上、説明したように、リール２０の回転時には、傾斜面２６Ａ又は傾斜面２６Ｂが受ける風によって下フランジ２６の上面（内面）側に上昇気流が発生する。したがって、ドライブ装置に装填された使用時において、上記作用の他に、記録テープカートリッジ１０の内部環境に対する冷却効果を期待できる。
【００６３】
また、記録テープカートリッジ１０の長期保存時にも、複数の貫通孔２７によって、記録テープＴの幅方向下端部側の露出面積を拡大できるため、その記録テープＴに対する冷却効果を期待できる。したがって、記録テープカートリッジ１０の長期保存時における環境条件を緩和することができ、その長期保存のために必要な費用を削減することができる。
【００６４】
以上、本実施形態に係る記録テープカートリッジ１０について、図面を基に説明したが、本実施形態に係る記録テープカートリッジ１０は、図示のものに限定されるものではなく、本発明の要旨を逸脱しない範囲内において、適宜設計変更可能なものである。例えば、傾斜面２６Ａ及び傾斜面２６Ｂは、図７（Ｂ）に示される断面視で、直線形状に形成される構成に限定されるものではなく、曲線形状（湾曲形状や波型形状）に形成される構成とされていてもよい。
【００６５】
また、貫通孔２７の形状も、図示の略二等辺三角形状に限定されるものではない。貫通孔２７の形状は、傾斜面２６Ａの面積Ｓ１が、傾斜面２６Ｂの面積Ｓ２以下にならなければ、例えば、傾斜面２６Ａの径方向に沿った長さＬ１が、傾斜面２６Ｂの径方向に沿った長さＬ２よりも長い又は短い略直角三角形状や鈍角三角形状に形成されていてもよい。また、そのとき、リール２０の回転軸方向に対する傾斜面２６Ａの傾斜角度θ１とリール２０の回転軸方向に対する傾斜面２６Ｂの傾斜角度θ２とが同一とされていてもよい。
【００６６】
また、記録テープカートリッジ１０は、リーダー部材として、リーダーピン３０を有する構成に限定されるものではなく、例えばリーダーテープ（図示省略）やリーダーブロック（図示省略）を有する構成とされていてもよい。更に、記録テープＴは、データの記録及び記録したデータの再生が可能な長尺テープ状のデータ記録再生媒体として把握されるものであれば足り、記録テープカートリッジ１０が如何なる記録再生方式の記録テープＴにも適用可能であることは言うまでもない。
【符号の説明】
【００６７】
１０  記録テープカートリッジ
１２  ケース
１８  開口
２０  リール
２２  リールハブ
２４  上フランジ
２６  下フランジ
２６Ａ  傾斜面
２６Ｂ  傾斜面
２７  貫通孔
２７Ａ  縁部
２７Ｂ  縁部
２８  底壁（底部）
４４  リールギア
１０２  駆動ギア
Ｔ  記録テープ
【図１】
0006594255.tif 000002
【図２】
0006594255.tif 000003
【図３】
0006594255.tif 000004
【図４】
0006594255.tif 000005
【図５】
0006594255.tif 000006
【図６】
0006594255.tif 000007
【図７】
0006594255.tif 000008